(57)【要約】【課題】殺菌剤を使用しないかまたは殺菌剤の使用を極力減少し、簡単かつ低コストでまた安全性の高い方法により容器および無菌閉鎖空間を殺菌し、この殺菌を用いた容器詰め飲料等の製造方法を提供する。【解決手段】温水及び／又は蒸気により空間内壁全面および空間内に設置された装置表面が湿熱加熱されるとともに無菌エアーにより陽圧保持される無菌閉鎖空間に容器を導入し、この容器の少なくとも内面を温水及び／又は蒸気により湿熱加熱殺菌し、次いで殺菌済み容器に殺菌済み飲料を充填して密封する。【選択図】  なし【特許請求の範囲】
【請求項１】
温水及び／又は蒸気により空間内壁全面および空間内に設置された装置表面が湿熱加熱殺菌されるとともに無菌エアーにより陽圧保持される無菌閉鎖空間に容器を導入し、前記容器の少なくとも内面を温水及び／又は蒸気により湿熱加熱殺菌し、次いで前記殺菌済み容器に殺菌済み飲料を充填して密封することを特徴とする容器詰め飲料の製造方法。
【請求項２】
前記無菌閉鎖空間内の装置表面の殺菌は、殺菌対象表面温度が６０℃以上９６℃未満となるように湿熱加熱殺菌することにより行われることを特徴とする請求項１に記載の容器詰め飲料の製造方法。
【請求項３】
前記無菌閉鎖空間に導入される容器は、外面を温水及び／又は蒸気による湿熱加熱殺菌された後に無菌閉鎖空間内に導入されることを特徴とする請求項１または２に記載の容器詰め飲料の製造方法。
【請求項４】
前記無菌閉鎖空間に導入される容器の外面殺菌の工程は、温水噴出ノズルまたは蒸気噴出ノズルより温水及び／又は蒸気を該容器に噴出させ、該容器の外面温度が６３℃以上９６℃未満となるように湿熱加熱殺菌することにより行われることを特徴とする請求項３に記載の容器詰め飲料の製造方法。
【請求項５】
前記無菌閉鎖空間に導入される容器の外面殺菌は、前記無菌閉鎖空間に連通し、容器の搬入・搬出口が設けられた外面殺菌室内で行われることを特徴とする請求項３または４に記載の容器詰め飲料の製造方法。
【請求項６】
前記外面殺菌室は、水蒸気で満たされていることを特徴とする請求項５に記載の容器詰め飲料の製造方法。
【請求項７】
前記容器の少なくとも内面を殺菌する工程は、該容器の内面温度が６３℃以上９６℃未満となるように湿熱加熱殺菌することにより行われることを特徴とする請求項１〜６のいずれかに記載の容器詰め飲料の製造方法。
【請求項８】
前記無菌閉鎖空間内で充填される飲料は、殺菌済みで１０℃以下に冷蔵されているチルド流通飲料であることを特徴とする請求項１〜７のいずれかに記載の容器詰めチルド流通飲料の製造方法。
【請求項９】
前記無菌閉鎖空間内で充填される飲料は、殺菌済みの酸性飲料、殺菌済みの植物または動物の組織成分を含有する炭酸飲料、または殺菌済みの低酸性飲料であることを特徴とする請求項１〜７のいずれかに記載の容器詰め常温流通飲料の製造方法。
【発明の詳細な説明】
【技術分野】
【０００１】
本発明は、１０℃以下に冷蔵されたチルド流通飲料、酸性飲料、植物または動物の組織成分を含有する炭酸飲料、および低酸性飲料等の容器詰め飲料の製造方法に関する。なお、本明細書において、「チルド流通飲料」とは、保存のため１０℃以下で冷蔵することが必要であり、この状態で流通し保存することを条件として賞味期限が設定される飲料を指す。チルド流通飲料の内容物としては牛乳および乳飲料が代表的なものであり、その容器としてはポリエチレンボトル、ガラスボトル、紙バック、ＰＥＴボトルなどが使用されている。本発明はこれら容器特にポリエチレンボトルやＰＥＴボトル等のプラスチックボトルに充填されて流通する容器詰め飲料を対象とするものである。
【０００２】
また、本明細書において、酸性飲料とはｐH４．６未満の飲料であって、果実飲料、野菜飲料、乳性飲料、紅茶飲料（レモンテイ）、酸性機能性飲料（スポーツドリンク）、ニアウオーター等を含む。また、低酸性飲料とは、ｐH４．６以上の飲料であって、無糖コーヒー、加糖コーヒー等のコーヒー飲料や緑茶、紅茶、ウーロン茶等の茶系飲料等を含む。さらに、植物または動物の組織成分を含有する炭酸飲料は、果実入り炭酸飲料や乳性炭酸飲料を含む。なお、酸性飲料、植物または動物の組織成分を含有する炭酸飲料、および低酸性飲料には、アルコールを含有させてもよい。
【背景技術】
【０００３】
従来、例えばチルド流通飲料においては、未殺菌のボトル等の容器に殺菌済みの牛乳等の内容物を充填し、未殺菌のキャップ等で密封して製品としたものであり、その賞味期限は製造日ブラス７日とされている。
【０００４】
また、酸性飲料においては、内容物を殺菌後、８５℃程度で内容物を充填し密封した後に冷却することにより容器詰め酸性飲料を得て、さらに果汁入り炭酸飲料または乳性炭酸飲料においては、カーボネーションさせた内容物を充填し密封した後に温水パストライザーで加熱殺菌（６５℃、１０分間と同等以上）して冷却することにより容器詰め果汁炭酸飲料または乳性炭酸飲料を得て、それぞれ常温で流通させている。
【発明の開示】
【発明が解決しようとする課題】
【０００５】
従来のチルド流通飲料は上記のとおりその賞味期限が製造日プラス７日とされているが、消費者の状況によってはこの賞味期限では不便であり、もう数日長い方が望ましい場合もある。そこで、賞味期限を長くしようとすれば、過酸化水素または塩素系殺菌剤等の殺菌剤を使用して容器を殺菌してから内容物を容器に充填する常温流通品の製造方法を適用すればよいが、殺菌剤を使用する容器殺菌方法は殺菌剤を洗浄するために多量の水を使用しなければならず、製造工程も複雑であって製造コストが嵩み、常温流通品のように長期の賞味期限を必要としないチルド流通飲料の製造方法としては不経済であり適当ではない。
【０００６】
また、殺菌剤を使用する容器殺菌方法のかわりに温水を使用してＰＥＴボトル等の容器を殺菌する方法も種々提案され使用されている。一例として、特許文献１には、内容物をｐＨ４．０以下の酸性飲料を常温で充填することを目的として、６５℃ないし８５℃の温水を間欠的に倒立状態のボトル内面に噴射してボトル内面に付着したかびや酵母を殺菌した後常温状態の酸性飲料を充填・密封する酸性飲料のＰＥＴボトル充填法が示されている。この方法は、殺菌剤を使用しないで容器を殺菌することができるので、殺菌剤を使用する方法に比べて低コストであるという長所がある。しかしながら、この方法は酸性飲料を対象としたものであり、酸性飲料以外の用途への適用については示唆するところがなく、また容器殺菌環境についても言及されておらず、研究開発の余地を残すものである。
【０００７】
また果汁入り炭酸飲料においては、ボトル内にカーボネーションさせた果汁入り炭酸飲料を充填し密封した後に温水パストライザーで加熱殺菌するためパストライザー時の容器内圧上昇に耐え得るボトルを選択する必要があり、したがってこれらに用いるボトルの形状は必然的に選択の幅が制限されていた。
【０００８】
本発明は、これらの問題点に鑑みてなされたものであって、殺菌剤を使用しないかあるいは殺菌剤の使用量を極力減少し、簡単且つ低コストでまた安全性の高い方法により容器および無菌閉鎖空間を殺菌し、この殺菌を用いた容器詰め飲料等の製造方法を提供しようとするものである。
【特許文献１】特許第２８４４９８３号公報
【課題を解決するための手段】
【０００９】
本発明者は、上記課題を解決するため鋭意研究と実験を重ねた結果、上記文献記載の方法等従来の温水を使用して容器を殺菌する場合、温水で殺菌を行う空間は、微生物が増殖する危険性が極めて高く、温水殺菌してから容器を飲料充填位置に移送する間に空気中に浮遊するかび、細菌等が再び容器の内外面に付着するおそれがあり、充分な容器殺菌効果が必ずしも挙げられないおそれがあることを考慮し、また、この問題を解決するためにたとえ温水による容器の殺菌を無菌環境下において行うとしても、未殺菌の容器を無菌環境に導入することにより容器に付着していたかび、細菌等が無菌環境内に飛散し、温水による殺菌後の容器にこれらのかび、細菌が再び付着するおそれがあることを考慮し、かびや細菌は容器の内面よりも外面により多く付着し、容器の外面は内面に比べて汚染度が著しく高いことに着目し、容器を無菌環境に導入する前に予め容器の少なくとも外面を殺菌すれば、無菌環境内に容器とともに導入されるかびや細菌の量は著しく減少するという知見を得た。次に、本発明者は、容器を温水にて殺菌し、充填・密封する無菌環境に着目し、この無菌環境は、無菌閉鎖空間を温水及び／又は蒸気により空間内壁全面および空間内に設置された装置表面を湿熱加熱するとともに無菌エアーにより無菌閉鎖空間内を陽圧保持することにより従来よりも簡便な方法と設備により従来と同等の無菌環境が維持されるという知見に基づき本発明に到達した。
【００１０】
本発明の目的を達成する容器詰め飲料等の製造方法は、温水及び／又は蒸気により空間内壁全面および空間内に設置された装置表面が湿熱加熱されるとともに無菌エアーにより陽圧保持される無菌閉鎖空間に容器を導入し、前記容器の少なくとも内面を温水及び／又は蒸気により湿熱加熱殺菌し、次いで前記殺菌済み容器に殺菌済み飲料を充填して密封することを特徴とするものである。
【００１１】
本発明の１側面においては、前記無菌閉鎖空間内の装置表面の殺菌は、殺菌対象表面温度が６０℃以上９６℃未満となるように湿熱加熱殺菌することにより行われることを特徴とする。
【００１２】
本発明の１側面においては、前記無菌閉鎖空間に導入される容器は、外面を温水及び／又は蒸気による湿熱加熱殺菌された後に無菌閉鎖空間内に導入されることを特徴とする。
【００１３】
本発明の１側面においては、前記無菌閉鎖空間に導入される容器の外面殺菌の工程は、温水噴出ノズルまたは蒸気噴出ノズルより温水及び／又は蒸気を該容器に噴出させ、該容器の外面温度が６３℃以上９６℃未満となるように湿熱加熱殺菌することにより行われることを特徴とする。
【００１４】
本発明の１側面においては、前記無菌閉鎖空間に導入される容器の外面殺菌は、前記無菌閉鎖空間に連通し、容器の搬入・搬出口が設けられた外面殺菌室内で行われることを特徴とする。
【００１５】
本発明の１側面においては、前記外面殺菌室は、水蒸気で満たされていることを特徴とする。
【００１６】
本発明の１側面においては、前記容器の少なくとも内面を殺菌する工程は、該容器の内面温度が６３℃以上９６℃未満となるように湿熱加熱殺菌することにより行われることを特徴とする。
【００１７】
本発明の１側面においては、前記無菌閉鎖空間内で充填される飲料は、殺菌済みで１０℃以下に冷蔵されているチルド流通飲料であることを特徴とする。
【００１８】
本発明の１側面においては、前記無菌閉鎖空間内で充填される飲料は、殺菌済みの酸性飲料、殺菌済みの植物または動物の組織成分を含有する炭酸飲料、または殺菌済みの低酸性飲料であることを特徴とする。
【発明の効果】
【００１９】
以上述べたように、本発明によれば、容器の少なくとも内面を温水で殺菌する無菌閉鎖空間は、温水及び／又は蒸気により空間内壁全面および空間内に設置された装置表面が湿熱加熱されるとともに無菌エアーにより空間内が陽圧保持されるため、従来の殺菌剤散布の方法に比べて空間内殺菌後の洗浄工程や洗浄設備が不要となり、従来と同等の無菌環境が維持されつつも設備コスト等が削減される。
【００２０】
また、本発明の１側面によれば、無菌閉鎖空間の外において容器の外面を外面殺菌室内で湿熱加熱殺菌した後無菌閉鎖空間内に容器を導入して容器の少なくとも内面を温水で殺菌するので、容器は汚染度の高い容器外面のかびや細菌が殺菌された状態で無菌閉鎖空間内に導入され、その結果閉鎖空間内に導入されるかびや細菌の量が最大限に減少し、容器内面殺菌後の容器にかびや細菌が再び付着する可能性が最大限に減少し、容器内外面の殺菌をもっとも効率的に行うことができる。また、殺菌剤を使用する場合でも容器外面の殺菌に限定され、容器内面の殺菌は温水で行うので、殺菌剤の使用量を最小限にとどめることができる。したがって、殺菌剤を使用することなく、あるいは殺菌剤の使用量を最小限にとどめて、簡単で低コストの方法により容器詰め飲料を製造することができ、チルド流通飲料の場合はその賞味期限を延長することもできる。
【００２１】
また、本発明によれば、内容物と容器を区別して殺菌することが可能であり、それぞれの汚染度に応じた充分な殺菌価を設定することが可能である。したがって、従来よりも自由な容器形状およびガスボリュームを設定することも可能である。
【発明を実施するための最良の形態】
【００２２】
以下添付図面を参照して本発明の実施の形態について説明する。  
本発明の方法に使用する容器はポリオレフインボトル、ＰＥＴボトル等のプラスチックボトルおよびガラスびん（以下「ボトル」と略称する）のほか、紙パック、紙箱等飲料を充填することができるすべての容器を使用することができるが、以下チルド流通飲料等容器詰め飲料の代表的な容器としてボトルを使用する実施形態について説明する。
【００２３】
本発明の方法をボトルに充填される飲料について適用する場合は、ボトルの外面の殺菌と内面の殺菌を分けて２段階で行い、まず無菌閉鎖空間の外において温水または蒸気でボトルの外面を湿熱加熱殺菌した後無菌閉鎖空間内にボトルを導入してボトルの内面を温水で殺菌することが好ましい。この実施形態の概要を図１のフローチャートに示す。
【００２４】
ボトルの外面の湿熱加熱殺菌は、６３℃〜９５℃で行い、６３℃の場合殺菌時間は８秒以上が必要であり、より好ましい殺菌条件は６５℃で１０秒以上である。また９５℃の場合は２秒以上が好ましい。さらにできれば無菌状態の閉鎖空間とした外面殺菌室内で行うことが好ましい。なお、ボトル外面の殺菌はボトルが正立、倒立いずれの状態でも行うことができる。
【００２５】
温水によるボトル外面の殺菌は、ボトルが正立、倒立いずれの状態の場合でも、図２に示すように、外面殺菌室を設けて複数の温水スプレーノズルをボトルの側面および底面に向けて温水を噴射することにより行うことができる。
【００２６】
ボトル外面の殺菌工程が行われる外面殺菌室は、温水を放散するか水蒸気を吹込むことにより発生する飽和水蒸気で満たすようにしてもよい。外面殺菌室内を飽和水蒸気で満たすことにより、ボトル外面殺菌効果が向上するとともに、外面殺菌室内がボトル搬入口の外部の大気に対してエアシールされた状態となり、外部の大気中の菌が無菌閉鎖空間内に流入することが防止される。
【００２７】
ボトル内面の殺菌は、無菌閉鎖空間内で行う。この無菌閉鎖空間内において、ボトルが倒立の状態で、１本の温水スプレーノズルを図３に示すようにボトルの口の下方に配置し、温水をボトル内部に向けて噴射することによって行う。温水スプレーノズルをボトルの内部に挿入して温水を噴射することも可能であるが、図３に示すように温水スプレーノズルをボトルの口の下方に固定して配置した状態で温水を噴射する方が、温水スプレーノズルの昇降動作が不要であるので、装置の機械的な構造を簡素化することができ、本発明をチルド流通飲料に適用する場合はチルド流通飲料製品の製造コストを低減することができる。なお、図３の例では、ボトルの内面のみならずボトルの外面にも温水を噴射して殺菌を行っている。
【００２８】
ここで無菌閉鎖空間とは、容器搬入のための出入り口を設けた作業室内の一部空間を囲って密封空間とし、この密封空間内に陽圧の無菌空気を導入して無菌状態を維持するようにした空間を意味する。クリーンルーム内で湿熱加熱殺菌を行うとクリーンルーム壁面全面は殺菌されず、またクリーンルーム天井部のＨＥＰＡフイルターが水蒸気により損傷を受けるので、クリーンルームは湿熱加熱殺菌およびその後のフイラーによる内容物のボトルへの充填作業を行うには不適である。またこのような無菌閉鎖空間を使用することにより、設置費用が高価で制御も難しいクリーンルームを使用しないですむので、容器殺菌に要する費用を一層低減することができる。無菌閉鎖空間内におけるボトル内面の温水による殺菌も６３℃〜９５℃で行い、後述の実施例１に示すように、６３℃の場合殺菌時間は８秒以上が必要であり、より好ましい殺菌条件は６５℃で１０秒以上である。また９５℃の場合は２秒以上が好ましい。６９℃以上とする場合は殺菌価がより高くなり、９５℃が安定的な噴射を行う上限温度である。ボトルの外面、内面の殺菌はそれぞれ上記温度の温水をポンプで循環させることにより行うことができる。また、ボトル内面の殺菌は、殺菌作業後の温水がボトルの口から自然落下によりボトル外に排出されるように倒立状態で行うことが望ましい。
【００２９】
ボトル内外面の殺菌は水蒸気による殺菌によっても温水による殺菌と同様の効果が得られる。
【００３０】
ボトル外面の殺菌を外面殺菌室内で行なう場合は、この殺菌室をボトル内面の殺菌を行なう無菌閉鎖空間と連通させるように構成することが好ましい。こうすることによって、ボトルが外面殺菌室から無菌閉鎖空間に移送される途中で外部から菌が付着することが防止される。
【００３１】
ボトル内面の殺菌を終了後ボトルは上記と同一条件の無菌閉鎖空間内に設けられたフイラーに移送され、ヘッドタンクユニット内に保持された殺菌済み内溶液がボトル内に充填される。内容液が充填されたボトルは同一条件の無菌閉鎖空間内に設けられたキャッパーに移送され、キャップ供給装置からキャップ殺菌装置に供給され公知の方法で殺菌されたキャップで完全に密封された後容器詰め飲料製品として無菌閉鎖空間外に排出される。
【００３２】
ボトル外面殺菌後のボトル内面殺菌、内容物充填、キャッピング工程を行う装置の１具体例を図４の概略図に示す。
【００３３】
図４において、食品充填システム１０は飲料をＰＥＴボトルに充填するための充填装置であって、ＰＥＴボトルの搬送方向の順にボトルの内面を殺菌するボトルリンサー１１、フイラー１２、アセプキャッパー１３、ボトルを２列に振り分けるための振り分け装置１４が配列されている。食品充填装置１０は鋼板からなるカバー１５によって覆われており、このカバー１５によって無菌閉鎖空間を構成する枠体１６が形成されている。無菌閉鎖空間内はダクト１７から供給される無菌エアーにより陽圧に保持されている。
【００３４】
なお、カバー１５にはボトル外面殺菌室および装置（図示せず）に連続するボトル導入口１５ａとボトル排出口１５ｂが形成されているが、枠体１６は実質的に密閉されている。
【００３５】
無菌閉鎖空間殺菌装置１は、枠体１６内において温水を散布する手段を構成する複数の回転ノズル２および複数の固定ノズル３を備えている。回転ノズル２はスプレーボールからなり、噴射口を下方に向けて枠体１６内の上部に配置されている。固定ノズル３はフルコーンノズルからなり、噴射口を斜め上方に向けて枠体１６内の下部の床面付近に配置されている。回転ノズル２および固定ノズル３はそれぞれ配管４により弁７および加温ヒーター６を介して温水供給源５に接続されており、該供給源５から温水の供給を受けることができる。
【００３６】
この装置を使用して殺菌を行う場合は、弁７を操作して配管４を温水供給源５に接続する。温水供給源５からの水は加温ヒーター６により加温され、配管４を経由して枠体１６内の回転ノズル２および固定ノズル３に供給され、これらのノズル２、３から枠体内に散布される。散布された温水は枠体１６内のボトルリンサー１１、フイラー１２、アセプキャッパー１３、振り分け装置１４等の機器の外表面、枠体１６の内壁面およびボトルリンサー１１に温水を供給するライン配管（図示せず）等の殺菌対象表面の大部分に降りかかってこの部分を濡らす。散布された温水は殺菌対象表面の大部分を濡らすことによってこの部分を殺菌するとともに、蒸発した水蒸気が枠体１６内に充満し、温水によって濡れていない部分を含む全殺菌対象表面に接触することによってさらなる殺菌が行われる。この温水の散布を所定時間継続することによって全殺菌対象表面の完全な殺菌が達成される。この場合無菌閉鎖空間の内壁面である枠体１６の内壁面も全面が機器表面と同様に充分に殺菌される。
【００３７】
殺菌温度は殺菌対象表面が６０℃以上、好ましくは６５℃以上とし、大気圧下で行うために９６℃未満となるように温水の加温を調節する。
【実施例１】
【００３８】
供試ボトルとして２５０ｍｌ  口径φ３８ｍｍのＰＥＴボトルを使用した。  
また、供試菌としてAspergillus niger ATCC6275を３０日間ポテトデキストロース寒天培地で培養したものを使用した。
【００３９】
供試ボトルの外面に、供試菌の胞子懸濁液を０．１ｍｌ噴霧して、１０６cfu/ホ゛トルとなるように懸濁液を付着させた後、一昼夜クリーンルーム内で乾燥させ、供試ボトルとして用いた。
【００４０】
この供試ボトルを正立の状態で図２に示す方法により湿熱加熱殺菌した。
【００４１】
殺菌後のボトル外面の生残菌数をポテトデキストロース寒天培地で３０℃×７日間培養して菌数を計測し、Ｌｏｇ（初期菌数／生残菌数）より、殺菌効果を求めた。  
ボトル外面の殺菌温度・時間と殺菌効果の関係を表１に示す。
【００４２】
【表１】
2004269049.tif 000002
【実施例２】
【００４３】
供試ボトルとして２５０ｍｌ  口径φ３８ｍｍのＰＥＴボトルを使用した。  
また、供試菌としてAspergillus niger ATCC6275を３０日間ポテトデキストロース寒天培地で培養したものを使用した。
【００４４】
供試ボトルの内外面に、供試菌の胞子懸濁液を各０．１ｍｌ噴霧して、１０６cfu/ホ゛トルとなるように懸濁液を内外面にそれぞれ付着させた後、一昼夜クリーンルーム内で乾燥させ、供試ボトルとして用いた。
【００４５】
この供試ボトルを倒立の状態で図３に示す方法によりその内外面を温水殺菌した。
【００４６】
殺菌後のボトル内外面の生残菌数をポテトデキストロース寒天培地で３０℃×７日間培養して菌数を計測し、Ｌｏｇ（初期菌数／生残菌数）より、殺菌効果を求めた。  
ボトル内外面それぞれの殺菌温度・時間と殺菌効果の関係を表２に示す。
【００４７】
【表２】
2004269049.tif 000003
【実施例３】
【００４８】
供試菌としてAspergillus niger ATCC6275を３０日間ポテトデキストロース寒天培地で培養したものを使用した。  
この供試菌の胞子懸濁液を図４の装置内の機器表面の適当な場所に１０６cfu/100cm２となるように付着させ、乾燥後、温水循環による殺菌を行った。
【００４９】
殺菌後の機器表面の生残菌数をポテトデキストロース寒天培地で３０℃×７日間培養して菌数を計測し、Ｌｏｇ（初期菌数／生残菌数）より、殺菌効果を求めた。  
機器表面における殺菌温度・時間と殺菌効果の関係を表３に示す。
【００５０】
【表３】
2004269049.tif 000004
【実施例４】
【００５１】
供試ボトルとして２５０ｍｌ  口径φ３８ｍｍのＰＥＴボトルを使用してチルド流通ＰＥＴボトル入り牛乳を製造した。  
また、供試菌としてAspergillus niger ATCC6275を３０日間培養培地したものを使用した。
【００５２】
供試ボトルの内外面に、供試菌の胞子懸濁液を各０．１ｍｌ噴霧して、１０６cfu/ホ゛トルとなるように懸濁液を付着させた後、一昼夜クリーンルーム内で乾燥させ、供試ボトルとして用いた。
【００５３】
このボトルを正立状態で図２に示す方法により７３℃の温水で３秒間ボトル外面の殺菌を行った。次いでこの外面殺菌済みのボトルを無菌エアで陽圧保持した無菌空間に移し、ボトルが倒立の状態で図３に示す方法により７３℃の温水で３秒間ボトル内面の殺菌を行った。
【００５４】
この内面殺菌済みのボトルを同一無菌条件下のフイラーに移し、１２０℃、２秒間の殺菌条件で殺菌された牛乳をボトルに充填した後たとえば特開２０００−３３５５２４号記載の蒸気で殺菌されたキャップを同一無菌条件下のキャッパーに移し、キャッパーにより完全に密封することにより製品とした。
【００５５】
この製品を冷蔵庫で１０℃で保存し、２週間後、３週間後、４週間後の内容物の概観（混濁、フロック形成の有無）を観察した。また、比較例として、ボトル内外面の殺菌を実施しない以外は上記実施例と同一条件でボトル入り牛乳を製造し内容物の変化を観察した。その結果を次表４に示す。
【００５６】
【表４】
2004269049.tif 000005
【００５７】
以上の結果から、本発明の方法によれば、従来の方法に比べてチルド流通飲料製品の保存日数を大幅に延長することができることが判る。
【実施例５】
【００５８】
供試ボトルとして実施例３のＰＥＴボトルを使用し、果汁入り炭酸飲料としてオレンジソーダを製造した。使用菌および実験条件は実施例１と同一である。
【００５９】
製品を常温で保存し、１週間後、２週間後、４週間後の概観（混濁、フロック形成の有無）を観察した。また、比較例として、ボトル内外面の殺菌を実施しない以外は実施例５と同一条件でボトル入りオレンジソーダを製造し内容物の変化を観察した。その結果を次表５に示す。
【００６０】
【表５】
2004269049.tif 000006
【００６１】
以上の結果から、本発明によれば、従来の殺菌剤による殺菌方法と同等の殺菌効果を得ることができることが判る。
【実施例６】
【００６２】
供試ボトルとして５００ｍｌ、口径φ２８ｍｍのＰＥＴボトルを使用し、低酸性飲料として緑茶を製造した。使用菌および実験条件は実施例１と同一である。
【００６３】
製品を常温で保存し、１週間後、２週間後、４週間後の概観（混濁、フロック形成の有無）を観察した。また、比較例として、ボトル内外面の殺菌を実施しない以外は実施例６と同一条件でボトル入り緑茶を製造し内容物の変化を観察した。その結果を次表６に示す。
【００６４】
【表６】
2004269049.tif 000007
【００６５】
以上の結果から、本発明によれば、従来の殺菌剤による殺菌方法と同等の殺菌効果を得ることができることが判る。
【図面の簡単な説明】
【００６６】
【図１】本発明の１実施形態を示すフローチャートである。
【図２】温水によるボトル外面の殺菌方法の１例を示す説明図である。
【図３】温水によるボトル内面の殺菌方法の１例を示す説明図である。
【図４】無菌閉鎖空間殺菌装置の１例を示す概略図である。
【図１】
2004269049.tif 000008
【図２】
2004269049.tif 000009
【図３】
2004269049.tif 000010
【図４】
2004269049.tif 000011